(57)【特許請求の範囲】
【請求項１】
天井埋込型室内機（３）の内部に配設されるファンを収容し、かつ、当該室内機（３）に固定される上ハウジング（１）と当該上ハウジング（１）に着脱自在に固定される下ハウジング（２）とを備えた上下分割型ファンハウジング（Ｈ）であって、
前記上ハウジング（１）における、空気吹き出し方向後方側の端部には、係止部（１６）が形成されるとともに、空気吹き出し方向前方側の端部には、上向き傾斜面（１７）を有するリブ（１８）が形成されており、
前記下ハウジング（２）における、空気吹き出し方向後方側端部には、前記係止部（１６）が係止可能な被係止部（２５）が形成されるとともに、空気吹き出し方向前方側端部には、前記上向き傾斜面（１７）と当接可能な下向き傾斜面（２１）を有するガイド部（２２）が形成されており、
下ハウジング（２）の上ハウジング（１）への組み付け後には、前記ガイド部（２２）の下向き傾斜面（２１）は、前記リブ（１８）の上向き傾斜面（１７）と当接し、当該上向き傾斜面（１７）が下ハウジング（２）を下方から支持する、上下分割型ファンハウジング（Ｈ）。  
【請求項２】
前記上ハウジング（１）および下ハウジング（２）は、ファンの回転軸に沿って互いに対向する一対の側板（１ａ，２ａ）をそれぞれ有しており、
前記リブ（１８）は上ハウジング（１）の一対の側板（１ａ，１ａ）の外面にそれぞれ形成されており、
前記ガイド部（２２）は下ハウジング（２）の一対の側板（２ａ，２ａ）の外面にそれぞれ形成されている、請求項１に記載の上下分割型ハウジング（Ｈ）。
【請求項３】
前記下ハウジング（２）のガイド部（２２）は、当該下ハウジング（２）が前記上ハウジング（１）に組み付けられたときに、上ハウジング（１）のリブ（１８）の下端（１８ａ）よりも下方側に位置する延長部（２７）を有する、請求項１または請求項２に記載の上下分割型ハウジング（Ｈ）。
【請求項４】
前記リブ（１８）の下端部に面取り部（２８）が形成されている、請求項１〜請求項３のいずれか１項に記載の上下分割型ハウジング（Ｈ）。
【請求項５】
前記リブ（１８）の下端部にＲ加工が施されている、請求項１〜請求項３のいずれか１項に記載の上下分割型ハウジング（Ｈ）。
【発明の詳細な説明】
【技術分野】
【０００１】
本発明は上下分割型ファンハウジングに関する。
【背景技術】
【０００２】
空気調和装置の室内機におけるファンを収容するハウジングとして、上ハウジングと下ハウジングとからなる上下分割型のハウジングが用いられている。かかる上下のハウジングは、通常、ポリスチレン（ＰＳ）などの合成樹脂で作製され、室内機への組付けに際しては、上下逆にされた状態の室内機の仕切板（熱交換器が配設される熱交換部と、ファンが配設される送付部とを仕切る板。図３〜４における符号「７」参照）に上ハウジングがネジ止めされ、ついで、室内機に固定された当該上ハウジングに下ハウジングが固定される。
【０００３】
下ハウジングの上ハウジングへの固定は、従来、ネジ止めにより行われていた。しかし、ネジ止めは両ハウジングを確実に固定することができるものの、小さな部材（ネジ）を用いた狭い場所での作業であり、時間がかかるという問題がある。
【０００４】
そこで、先端に膨出部が形成された係止部を、スリットからなる被係止部に挿入することで上下ハウジングをワンタッチで互いに着脱自在に固定することが行われている。  
【発明の概要】
【発明が解決しようとする課題】
【０００５】
しかし、前記のような係止部と被係止部を用いた固定方法は、合成樹脂で作製された係止部の膨出部を、当該係止部の弾性を利用して同じく合成樹脂で作製された被係止部のスリットの縁に引っ掛けているだけの構成であるため、強固な係止力を確保するのが難しく、ファン運転時の振動などに起因して下ハウジングが上ハウジングからはずれる恐れがある。
【０００６】
また、図４に示されるような天井埋込型室内機において、従来は室内機３のケーシング８の側板８ｂから機内に空気が取り入れられていたが、設計の自由度を高めるために、天井側の底板８ａからも機内に空気を取り入れることが可能な構造が提案されている。この場合、送風量を等しくするために側板８ｂおよび底板８ａの両方に同じサイズの開口を形成しておき、室内機の設置場所の状況に応じて、一方の開口がそのままにされ、他方の開口が閉止板で閉止される。
【０００７】
ところで、省スペース化の要請により、室内機の高さも小さくされる傾向にあり、その結果、前記開口のサイズも小さくされる傾向にある。室内機３の底板８ａに空気取り入れ用の開口が形成される場合、ファンのメンテナンスは当該開口を利用して行われるが、開口が狭くなるとメンテナンスが難しくなる。すなわち、従来、ネジなどによる固定が解除された下ハウジングは、そのままの状態で下方に移動させてから底板８ａの開口から外部に取り出していたが、室内機の高さが小さくなり、かつ、前記開口が狭くなると、容易に取り出すことができなくなる。
【０００８】
本発明は、このような事情に鑑みてなされたものであり、下ハウジングの外れを防止することができ、かつ、狭いスペースでのメンテナンスを容易に行うことができる上下分割型ハウジングを提供することを目的としている。
【課題を解決するための手段】
【０００９】
（１）本発明の上下分割型ファンハウジング（以下、単に「ファンハウジング」ともいう）は、天井埋込型室内機の内部に配設されるファンを収容し、かつ、当該室内機に固定される上ハウジングと当該上ハウジングに着脱自在に固定される下ハウジングとを備えた上下分割型ファンハウジングであって、
前記上ハウジングにおける、空気吹き出し方向後方側の端部には、係止部が形成されるとともに、空気吹き出し方向前方側の端部には、上向き傾斜面を有するリブが形成されており、
前記下ハウジングにおける、空気吹き出し方向後方側端部には、前記係止部が係止可能な被係止部が形成されるとともに、空気吹き出し方向前方側端部には、前記上向き傾斜面と当接可能な下向き傾斜面を有するガイド部が形成されており、
下ハウジングの上ハウジングへの組み付け後には、前記ガイド部の下向き傾斜面は、前記リブの上向き傾斜面と当接し、当該上向き傾斜面が下ハウジングを下方から支持する。
【００１０】
本発明のファンハウジングでは、上ハウジングに上向き傾斜面を有するリブが形成されており、下ハウジングに前記上向き傾斜面と当接可能な下向き傾斜面を有するガイド部が形成されている。このため、下ハウジングの上ハウジングへの組み付け時には、前記ガイド部の下向き傾斜面は、前記リブの上向き傾斜面と当接して当該下ハウジングのガイドとして機能するので、組み付けを容易に行うことができる。また、下ハウジングを上ハウジングに組み付けた後は、前記リブの上向き傾斜面は、前記ガイド部の下向き傾斜面と当接して当該下ハウジングを下方から支持するサポートとして機能するので、下ハウジングが上ハウジングから外れるのを防止することができる。
また、メンテナンス時には、前記係止部と被係止部の係合を解除したのちに、リブの下端またはガイド部の下端を回転中心にして下ハウジングを回転させるようにして当該下ハウジングを上ハウジングから外して室内機ケーシングの底板の開口から取り出すことができるので、狭いスペースでのメンテナンスを容易に行うことができる。
【００１１】
（２）上記（１）のファンハウジングにおいて、前記上ハウジングおよび下ハウジングは、ファンの回転軸に沿って互いに対向する一対の側板をそれぞれ有しており、
前記リブは上ハウジングの一対の側板の外面にそれぞれ形成されており、
前記ガイド部は下ハウジングの一対の側板の外面にそれぞれ形成されているものとすることができる。この場合、互いに対向する位置にリブおよびガイド部が形成されているので、バランスよく下ハウジングの上ハウジングへの取付および上ハウジングからの取り外しを行うことができる。
【００１２】
（３）上記（１）または（２）のファンハウジングにおいて、前記下ハウジングのガイド部は、当該下ハウジングが前記上ハウジングに組み付けられたときに、上ハウジングのリブの下端よりも下方側に位置する延長部を有することが好ましい。この場合、延長部を設けることで、リブの下端を中心とする下ハウジングの回転動作をスムーズに行わせることができる。
【００１３】
（４）上記（１）〜（３）のファンハウジングにおいて、前記リブの下端に面取り部が形成されていることが好ましい。この場合、面取り部を形成することで、下ハウジングの回転動作をスムーズに行わせることができる。
（５）上記（１）〜（３）のファンハウジングにおいて、前記リブの下端にＲ加工が施されていることが好ましい。この場合、Ｒ加工を施すことで、下ハウジングの回転動作をスムーズに行わせることができる。
【発明の効果】
【００１４】
本発明のファンハウジングによれば、下ハウジングの外れを防止することができ、かつ、狭いスペースでのメンテナンスを容易に行うことができる。
【図面の簡単な説明】
【００１５】
【図１】本発明のファンハウジングの一実施形態の全体斜視図である。
【図２】図１に示されるファンハウジングの分解斜視図である。
【図３】図１に示されるファンハウジングの仕切板への取付状態を示す図である。
【図４】本発明のファンハウジングを収容する室内機の一例の断面説明図である。
【図５】図１に示されるファンハウジングにおけるリブとガイド部の拡大説明図である。
【図６】図１に示されるファンハウジングにおける係止部の斜視説明図である。
【図７】図１に示されるファンハウジングにおける被係止部の斜視説明図である。
【図８】リブの変形例を示す図である。
【図９】リブの他の変形例を示す図である。
【発明を実施するための形態】
【００１６】
以下、添付図面を参照しつつ、本発明のファンハウジングの実施形態を詳細に説明する。図１は、本発明の一実施形態に係るファンハウジングＨの全体斜視図であり、図２は、図１に示されるファンハウジングＨの分解斜視図である。
【００１７】
ファンハウジングＨは、上ハウジング１と下ハウジング２とを備えた上下分割型のファンハウジングであり、内部にシロッコファンなどの多翼型ファン（図示せず）が配設される。ファンハウジングＨは、例えばポリスチレン（ＰＳ）、ＡＢＳ樹脂などの合成樹脂で作製することができる。
【００１８】
ファンハウジングＨは、例えば図４に示されるような天井埋込型の室内機３の内部に配設される。室内機３は、熱交換器４が配設される熱交換部５と、ファンが配設される送付部６と構成されており、熱交換部５と送付部６との間は仕切板７で仕切られている。室内機３のケーシング８の底板８ａにはグリル９が取り付けられた開口が形成されており、この開口を介して機内に空気が導入される。なお、室内機３は、ケーシング８の側板８ｂにも開口が形成されており、当該室内機３の設置場所の状況などに応じて機内への空気導入口の位置を選択できるタイプの室内機である。本例では、ケーシング８の底板８ａから空気を導入するため、当該ケーシング８の側板８ｂに形成された開口は閉止板１０で閉止されている。また、図４において、符号１１は、熱交換器４の下方に配設されたドレンパンである。
【００１９】
上ハウジング１における、空気吹き出し方向（図１、図３〜４における矢印Ｆ参照）の前方側には矩形の吹出口１２が形成されている。以下、上ハウジング１および下ハウジング２について、前記空気吹き出し方向を基準として前方側および後方側を、それぞれ当該上ハウジング１および下ハウジング２の前方または前端側、および、後方または後端側と称する。
前記吹出口１２の後方（空気吹き出し方向における後方）には、フランジ部１３が形成されており、当該フランジ部１３を利用して上ハウジング１が室内機３の仕切板７に固定される。具体的に、フランジ部１３の一対の側部１３ａそれぞれの上下２箇所に丸孔１４が穿設されており、この丸孔１４を貫通するネジ１５（図３参照）により上ハウジング１が仕切板７に固定される。仕切板７への取付状態において、上ハウジング１の吹出口１２は熱交換部５側へ若干突出している（図４参照）。
【００２０】
上ハウジング１は、内部に収容されるファンの回転軸の方向に沿って一対の側板１ａと、両側板１ａを接続する天板１ｂとを備えている。吹出口１２と反対側の天板１ｂの端部近傍は、内部に収容されるファンの形状に合わせて曲面状に形成されている。また、同じく吹出口１２と反対側の天板１ｂの端部、換言すれば上ハウジング１の後方側端部には、一対の係止部１６が形成されている。一対の係止部１６は、ファンの回転軸方向に沿って並んで形成されている。係止部１６は、図６に詳細に示されるように、先端に向かうにしたがい肉薄になる膨出部１６ａを有している。かかる係止部１６を後述する下ハウジング２の被係止部に係止させることで、両ハウジング１、２の後端側の固定を行うことができる。
【００２１】
上ハウジング１の側板１ａの前方側端部には、図５に示されるように、上向き傾斜面１７を有するリブ１８が形成されている。リブ１８は、各側板１ａに１つずつ形成されている。かかる上向き傾斜面１７の水平面を基準とする傾斜角度θは、本発明において特に限定されないが、通常、５〜６０°程度であり、好ましくは２５°程度である。
また、側板１ａには半円形状の切欠き１９が形成されている。そして、この切欠き１９の周縁であって、側板１ａにおける天板１ｂと反対側の縁部には両ハウジング１，２を組み付けるときの噛み合わせ用の凸部２０ａおよび受け部２０ｂが形成されている。空気の吹出し方向の前方側には凸部２０ａが形成され、同じく後方側には受け部２０ｂが形成されている。
【００２２】
下ハウジング２も、前記上ハウジング１と同様に、内部に収容されるファンの回転軸の方向に沿って一対の側板２ａと、両側板２ａを接続する底板２ｂとを備えている。底板２ｂの後端側は、内部に収容されるファンの形状に合わせてほぼ曲面状に形成されている。一方、底板２ｂの前端側には、下方に向かう傾斜面からなるガイド面２ｃが形成されている。ファンからの空気流は、このガイド面２ｃに沿って熱交換器４の下部に向けて吹き出される。    
【００２３】
下ハウジング２の前方側端部には、図５に拡大して示されるように、前記上ハウジング１のリブ１８の上向き傾斜面１７と当接可能な下向き傾斜面２１を有するガイド部２２が形成されている。より詳細には、本実施形態では、前記ガイド面２ｃの側縁２ｃ１（図２参照）にガイド部２２が形成されている。ガイド部２２は、２つの側縁２１ｃそれぞれに１つずつ形成されている。
【００２４】
側板２ａには、上ハウジング１の側板１ａに形成される切欠き１９と同じ半円形状の切欠き２３が形成されている。かかる両切欠き１９、２３により形成される円形の吸込口２４（図３参照）から送付部６内の空気がファンハウジングＨ内に吸い込まれ、当該ファンハウジングＨの吹出口１２から熱交換部５内に吹き出される。
また、切欠き２５の周縁であって、側板２ａにおける底板２ｂと反対側の縁部には、前記上ハウジング１の凸部２０ａおよび受け部２０ｂと対応する位置に凸部２０ａおよび受け部２０ｂが形成されている。空気の吹出し方向の前方側には受け部２０ｂが形成され、同じく後方側には凸部２０ａが形成されている。
【００２５】
下ハウジング２の後方側端部における前記上ハウジング１の係止部１６と対応する位置には、図７に拡大して示されるように、前記係止部１６が係止可能な一対の被係止部２５が形成されている。一対の被係止部２５は、ファンの回転軸方向に沿って並んで形成されている。被係止部１６は、前記係止部１６の先端の膨出部１６ａを挿入することできるスリット２６を有している。当該スリット２６の縁２６ａに当てるようにして膨出部１６ａをスリット２６内に挿入すると、当該膨出部１６ａは、その弾性により、上ハウジング１の前方側へわずかに撓みつつスリット２６内に進入し、所定距離だけ進入してスリット２６の内面からの押圧が開放されると元の形状に戻り、当該スリット２６の内面の下縁に係止する。このようにして、ワンタッチで係止部１６を被係止部２５に係止させることができる。これにより、上ハウジング１と下ハウジング２の後端側同士を互いに固定することができる。一方、係止部１６と被係止部２５の係合を解除するときは、当該係止部１６の膨出部１６ａを上ハウジング１の前方側へ押しつつ、両ハウジング１，２を離反させることで容易にスリット２６から抜き出すことができる。
【００２６】
本実施形態では、図５に拡大して示されるように、上ハウジング１に上向き傾斜面１７を有するリブ１８が形成されており、また、これに対応して、下ハウジング２に前記上向き傾斜面１７と当接可能な下向き傾斜面２１を有するガイド部２２が形成されている。したがって、室内機３の仕切板７にネジ止めされた上ハウジング１に下ハウジング２を組み付ける際に、前記ガイド部２２の下向き傾斜面２１は、前記リブ１８の上向き傾斜面１７と当接して当該下ハウジング２のガイドとして機能するので、組み付けを容易に行うことができる。具体的に、下向き傾斜面２１を上向き傾斜面１７に当接させることで下ハウジング２の位置合わせを行い、ついで前述した凸部２０と受け部２０ｂとが噛みあわせ可能な位置にあることを確認してから、前記上ハウジング１の係止部１６の膨出部１６ａを下ハウジング２の被係止部２５のスリット２６内に挿入することにより下ハウジング２を上ハウジング１に取り付けることができる。
【００２７】
下ハウジング２を上ハウジング１に組み付けた後は、前記リブ１８の上向き傾斜面１７は、前記ガイド部２２の下向き傾斜面２１と当接して当該下ハウジング２を下方から支持するサポートとして機能するので、下ハウジング２が上ハウジング１から外れるのを防止することができる。
また、メンテナンス時には、前記のようにして係止部１６と被係止部２５の係合を解除したのちに、リブ１８の下端１８ａ（図５参照）を中心にして下ハウジング２を回転させる（図５において反時計回り）ようにして当該下ハウジング２を上ハウジング１から外すことができ、これにより、従来のように下ハウジング１をそのまま下方に移動させてからメンテナンス用開口から取り出す必要がなく、室内機３のケーシング８の底板８ａの開口から下ハウジング２取り出すことができるので、狭いスペースでのメンテナンスを容易に行うことができる。その際、本実施形態では、前記下ハウジング２のガイド部２２に、当該下ハウジング２が前記上ハウジング１に組み付けられたときに、上ハウジング１のリブ１８の下端１８ａよりも下方側に位置する延長部２７が形成されている。このような延長部２７を設けることで、リブ１８の下端１８ａを中心とする下ハウジング２の回転動作をスムーズに行わせることができる。かかる延長部２７の前記下端１８ａからの突出距離ｔは、本発明において特に限定されるものではないが、通常、５ｍｍ以内である。
【００２８】
〔その他の変形例〕
本発明は前述した実施形態に限定されるものではなく、特許請求の範囲内において種々の変更が可能である。
例えば、前述した実施形態では、ガイド部２２に延長部２７を形成しているが、この延長部２７は形成しなくてもよい。すなわち、前記突出距離ｔ＝０とすることも可能である。
【００２９】
また、前述した実施形態では、リブ１８の下端１８ａが鈍角ではあるが、角ばった状態のままであるが、リブ１８の下端部に図８に示されるような面取部２８を形成してもよいし、また、図９に示されるようにＲ加工を施してＲ部２９としてもよい。このような面取部２８またはＲ部２９を設けることにより、下ハウジングの回転動作をスムーズに行わせることができる。
【符号の説明】
【００３０】
１  ：上ハウジング
１ａ：側板
１ｂ：天板
２  ：下ハウジング
２ａ：側板
２ｂ：底板
２ｃ：ガイド面
２ｃ１：側縁
３  ：室内機
４  ：熱交換器
５  ：熱交換部
６  ：送風部
７  ：仕切板
８  ：ケーシング
８ａ：底板
８ｂ：側板
９  ：開口
１０  ：閉止板
１１  ：ドレンパン
１２  ：吹出口
１３  ：フランジ部
１３ａ：側部
１４  ：丸孔
１５  ：ネジ
１６  ：係止部
１６ａ：膨出部
１７  ：上向き傾斜面
１８  ：リブ
１８ａ：下端
１９  ：切欠き
２０ａ：凸部
２０ｂ：受け部
２１  ：下向き傾斜面
２２  ：ガイド部
２３  ：切欠き
２４  ：吸込口
２５  ：被係止部
２６  ：スリット
２６ａ：縁
２７  ：延長部
２８  ：面取部
２９  ：Ｒ部
【図１】
0006511792.tif 000002
【図２】
0006511792.tif 000003
【図３】
0006511792.tif 000004
【図４】
0006511792.tif 000005
【図５】
0006511792.tif 000006
【図６】
0006511792.tif 000007
【図７】
0006511792.tif 000008
【図８】
0006511792.tif 000009
【図９】
0006511792.tif 000010